(57)【要約】【課題】あるユーザがホストＰＣ上のアプリケーションでプリンタに対してトナーＣＲＧ交換を指定した後、トナーＣＲＧ交換を忘れてしまった場合、プリンタはトナーＣＲＧ交換モードのままであるため、他のユーザが印刷できないという問題があった。【解決手段】プリンタのトナーＣＲＧ交換モードが一定時間以上続いた場合、トナーＣＲＧ交換と印刷の両方の処理が可能な中間モードに移行する。【選択図】  図７
2015146061.tif 000002
【特許請求の範囲】
【請求項１】
トナーＣＲＧ交換指示を行なえる情報処理装置と、印刷可能な通常モードとトナーＣＲＧ交換可能なトナーＣＲＧ交換モードを有する画像形成装置において、印刷とトナーＣＲＧ交換の両方を実行可能な中間モードで動作する手段（Ｓ７０２、Ｓ７０３）と、トナーＣＲＧ交換モードに移行してからの経過時間によって中間モードへ移行する手段（Ｓ６０５）と、中間モード中の要求により自動的に別のモードに移行する手段（Ｓ７０４、Ｓ７０６）を有することを特徴とする画像形成装置システム。
【請求項２】
前記中間モードにおいて、利用者の違いを区別するための情報を保持する手段（Ｓ６０２）と、保持した情報と利用者のホストＰＣ情報を比較する手段（Ｓ８０２）と、利用者の違いによって通知内容を変更し表示する手段（Ｓ８０３、Ｓ８０４）を有することを特徴とする請求項１に記載の画像形成装置システム。
【発明の詳細な説明】
【技術分野】
【０００１】
本発明は、画像形成装置操作システム、その制御方法及びプログラムに関するものである。
【背景技術】
【０００２】
画像形成装置には装置に液晶パネルを持たず、ＬＥＤや操作キーのみ有するものがある。このような画像形成装置では、液晶パネルの代わりにホストＰＣ上に用意されたアプリケーション（以下、ステータスウィンドウとする）で画像形成装置の設定や画像形成装置への操作指示ができるものが知られている。具体的な例として、トナーカートリッジ（以下、トナーＣＲＧとする）交換処理が挙げられる。トナーＣＲＧ交換をする場合、通常は画像形成装置のカバーを開けるだけで各色のトナーＣＲＧを取り出すことが可能であるが、カバーを開けても交換位置にある、一色しか交換できない画像形成装置がある。
【０００３】
交換位置にないトナーＣＲＧを交換したい場合、トナーＣＲＧを交換位置まで移動させる必要がある。そのため、このような画像形成装置ではトナーＣＲＧ交換処理を行うためにトナーＣＲＧ交換画面が用意されている。トナーＣＲＧ交換画面はステータスウィンドウから開くことができる。ユーザがトナーＣＲＧ交換画面を開き、交換したいトナーＣＲＧの色を選択することで、トナーＣＲＧが交換位置まで移動し、ユーザはトナーＣＲＧ交換を行なえる。トナーＣＲＧ交換後、トナーＣＲＧ交換画面で交換終了を指定することで、トナーＣＲＧ交換を終了する。あるユーザがトナーＣＲＧ交換画面を開いたとき、画像形成装置は印刷待機中の通常モードからトナーＣＲＧ交換モードに遷移する。
【０００４】
画像形成装置がトナーＣＲＧ交換モード中の間、他のユーザは印刷を実行できない。このように、通常モードとトナーＣＲＧ交換モードのような２つのモードが用意され、それぞれのモードで別の処理を行うという手法が知られている（特許文献１）。
【先行技術文献】
【特許文献】
【０００５】
【特許文献１】特開２００９−２２３８６６号公報
【発明の概要】
【発明が解決しようとする課題】
【０００６】
画像形成装置（以下、プリンタとする）がトナーＣＲＧ交換モード中の場合、ユーザは印刷することができない。そのため、あるユーザがホストＰＣ上のトナーＣＲＧ交換画面を開いたまま、トナーＣＲＧ交換を忘れてしまった場合、その間プリンタはトナーＣＲＧ交換モード中となり、他のユーザが印刷できない状態になるという問題がある。また、ユーザがホストＰＣ上でトナーＣＲＧ交換画面を開き、プリンタがトナーＣＲＧ交換モードへ移行した後、ホストＰＣとプリンタ間の通信が切れた場合、ユーザはホストＰＣ上からトナーＣＲＧ交換モードを終了できない。その間、他のユーザは印刷を実行することができないという問題がある。
【０００７】
そこで本発明では、通常モードとトナーＣＲＧ交換モードの間に中間モードを設け、プリンタがトナーＣＲＧ交換モード中に一定時間以上トナーＣＲＧ交換が行われなかった場合、中間モードへ移行する。中間モードとはトナーＣＲＧ交換モードを設定したユーザがトナーＣＲＧ交換を行うことと、他のユーザが印刷をすることが可能なモードである。
【課題を解決するための手段】
【０００８】
トナーＣＲＧ交換指示を行なえる情報処理装置と、印刷可能な通常モードとトナーＣＲＧ交換可能なトナーＣＲＧ交換モードを有する画像形成装置において、印刷とトナーＣＲＧ交換の両方を実行可能な中間モードで動作する手段と、トナーＣＲＧ交換モードに移行してからの経過時間によって中間モードへ移行する手段と、中間モード中の要求により自動的に別のモードに移行する手段を有することを特徴とする画像形成装置システム。
【発明の効果】
【０００９】
本発明によれば、あるユーザがトナーＣＲＧ交換モードに設定したままトナーＣＲＧ交換を忘れたり、ホストＰＣとプリンタ間の通信が切断してしまった場合でも一定時間後にプリンタを中間モードに移行することで、トナーＣＲＧ交換をしたいユーザはトナーＣＲＧ交換を行うことができ、他のユーザは印刷が可能となる。
【図面の簡単な説明】
【００１０】
【図１】本発明の実施形態の構成を示す図である。
【図２】図１におけるホストＰＣのハードウェア構成を示す図である。
【図３】図１におけるプリンタのハードウェア構成を示す図である。
【図４】ホストＰＣ上で動作するステータスウィンドウの構成を示す図である。
【図５】ホストＰＣ上で動作するトナーＣＲＧ交換画面の構成を示す図である。
【図６】プリンタが中間モードへ移行する場合の処理を示す図である。
【図７】プリンタが中間モード中の場合の処理を示す図である。
【図８】プリンタのモードによるステータスウィンドウの表示処理を示す図である。
【図９】図１におけるプリンタの断面図を示す図である。
【図１０】トナーＣＲＧを交換するための仕組みを説明する図である。
【発明を実施するための形態】
【００１１】
以下、本発明を実施するための最良の形態について図面を用いて説明する。
【００１２】
［実施例１］
図１は、本発明の実施形態のシステム構成を示す図である。プリンタ（１０６）はホストＰＣ（１０２、１０４）とＬＡＮや無線等のＮ／Ｗ（１０５）で接続されている。ホストＰＣ（１０２、１０４）では、ＵＩアプリケーション（以下、ステータスウィンドウと呼ぶ）を利用することが可能である。ユーザ（１０１，１０３）はホストＰＣ（１０２、１０４）上のステータスウィンドウ（４０１）を利用することで、プリンタ（１０６）に対して操作命令やプリンタの状態を確認することができる。ステータスウィンドウについては、図４で説明する。
【００１３】
図９は、図1におけるプリンタの断面図を示す図である。図９は、プリンタ（１０６）の断面図の例を示す。図９（Ａ）に示すプリンタ（１０６）は、回転現像方式のカラー印刷装置である。プリンタ（１０６）が備えるスキャナ（９１１）は、画像信号を光信号に変換するレーザ出力部、多面体（例えば８面体）のポリゴンミラー（９１２）、ポリゴンミラー９１２を回転させるモータ、ｆ／θレンズ（結像レンズ）（９１３）を有する。
【００１４】
レーザ出力部から出射したレーザ光は、ポリゴンミラー（９１２）の一側面で反射され、ｆ／θレンズ（９１３）及び反射ミラー（９１４）を通って図示矢印方向に回転している感光ドラム（９１５）の面を線状に走査（ラスタスキャン）する。これによって、原稿画像に対応した静電潜像が感光ドラム（９１５）の面上に形成されることになる。感光ドラム（９１５）の周辺には、一次帯電器（９１７）、全面露光ランプ（９１８）、転写されなかった残留トナーを回収するクリーナ部（９２３）、転写前帯電器（９２４）が配設されている。
【００１５】
現像器ユニット（９２６）は、レーザ露光によって、感光ドラム（９１５）の表面に形成された静電潜像の現像を行うユニットである。現像器ユニット（９２６）は、以下に説明する構成を有する。すなわち、現像器ユニット（９２６）が備える現像スリーブ（９３１Ｙ、９３１Ｍ、９３１Ｃ、９３１Ｂｋ）が、感光ドラム（９１５）と接して直接現像を行う。トナーＣＲＧ（９３０Ｙ、９３０Ｍ、９３０Ｃ、９３０Ｂｋ）は、予備トナーを保持する。スクリユー（９３２）は、現像剤の移送を行う。現像スリーブ（９３１Ｙ、９３１Ｍ、９３１Ｃ、９３１Ｂｋ）、トナーＣＲＧ（９３０Ｙ、９３０Ｍ、９３０Ｃ、９３０Ｂｋ）、及びスクリユー（９３２）は、現像器ユニット（９２６）の中心軸Ｐの周囲に配設されている。
【００１６】
なお、前述した各構成要素の符号のＹ，Ｍ，Ｃ，Ｂｋは色を示している。" Ｙ" はイエロー（Ｙｅｌｌｏｗ）、"Ｍ" はマゼンタ（Ｍａｇｅｎｔａ）、" Ｃ" はシアン（Ｃｙａｎ）、" Ｂｋ" はブラック（Ｂｌａｃｋ）である。従って、（９３０Ｙ）はイエローのトナーを収容するトナーＣＲＧ（イエローのトナーＣＲＧ）である。（９３０Ｍ）はマゼンタのトナーを収容するトナーＣＲＧ（マゼンタのトナーＣＲＧ）である。（９３０Ｃ）はシアンのトナーを収容するトナーＣＲＧ（シアンのトナーＣＲＧ）である。（９３０Ｂｋ）はブラックのトナーを収容するトナーＣＲＧ（ブラックのトナーＣＲＧ）である。
【００１７】
本体カバー（９０１）は、プリンタ（１０６）本体のカバーである。本体カバー（９０１）は、ユーザ（１０１、１０３）が開閉可能に構成されている。ユーザ（１０１，１０３）は、本体カバー（９０１）の真下に位置するトナーＣＲＧのみ取り外しが可能である。本体カバー（９０１）の真下の位置を交換可能位置と呼ぶ。すなわち、複数のトナーＣＲＧのうち、交換可能位置にある１つのトナーＣＲＧのみが交換可能である。図９に示す例では、トナーＣＲＧ（９３０Ｂｋ）が交換可能位置に配置されている。トナーＣＲＧ（９３０Ｙ、９３０Ｍ、９３０Ｃ、９３０Ｂｋ）が軸Ｐを中心に回転することで交換可能位置のトナー色を変更することができる。また、プリンタ（１０６）は、モノクロ印刷を行う場合も、カラー印刷を行う場合も、トナーＣＲＧの待機位置が、トナーＣＲＧ（９３０Ｂｋ）が交換可能位置に配置されている待機位置である場合に最速で印刷を開始することができる。
【００１８】
しかし、エンジン構成によっては、プリンタ（１０６）が最速で印刷を開始できる待機位置が、ブラック以外の色のトナーを収容するトナーＣＲＧが交換可能位置に存在する待機位置であってもよい。また、プリンタ（１０６）が印刷を最速で開始することができる待機位置が、モノクロ印刷とカラー印刷とで異なっていてもよい。
【００１９】
現像器ユニット位置センサ（９４２）は、現像器ユニット（９２６）の回転位置を検出する。イエローのトナー像を形成する時には、現像器ユニット（９２６）は、図９に示す位置でイエロートナー現像処理を行う。また、マゼンタのトナー像を形成する時は、現像器ユニット（９２６）が、軸Ｐを中心に回転して、感光ドラム（９１５）にマゼンタ現像器内の現像スリーブ（９３１Ｍ）が接するようにする。シアン、ブラックをそれぞれ現像する場合も同様に作動する。
【００２０】
転写ドラム（９１６）は感光ドラム（９１５）上に形成されたトナー像を用紙に転写する。アクチュエータ板（９１９）は、転写ドラム（９１６）の移動位置を検出する。ポジションセンサ（９２０）は、アクチュエータ板（９１９）と近接することにより、転写ドラム（９１６）がホームポジション位置に移動したことを検出する。アクチュエータ板（９１９）、ポジションセンサ（９２０）、転写ドラムクリーナ（９２５）、紙押えローラ（９２７）、徐電器（９２９）は、転写帯電器であり、転写ローラ（９１６）の周囲に配設されている。
【００２１】
一方、給紙カセット（９３５，９３６）は、用紙（紙葉体）（９９１）を収納する。例えば、給紙カセット（９３５）には、Ａ４サイズの用紙、給紙カセット（９３６）にはＡ３サイズの用紙が収納されているものとする。用紙を給紙搬送する場合、給紙ローラ（９３７，９３８）により、カセット（９３５，９３６）から用紙を給紙する。タイミングローラ（９３９，９４０，９４１）が、給紙及び搬送のタイミングをとる。用紙は、これらを経由して紙ガイド（９９０）に導かれて、先端をグリッパ（９２８）に但持されながら転写ドラム（９１６）に巻き付く。これにより、プリンタ（１０６）の動作が像形成過程に移行する。プリンタ（１０６）は、上述した構成を有することによって、ＹＭＣＫ４色によるフルカラー印刷を実現することができる。
【００２２】
図１０は、トナーＣＲＧを交換するための仕組みを説明する図である。トナーＣＲＧを交換する場合、ユーザが本体カバー（９０１）を開ける。本体カバー（９０１）が開くことによって視認できる本体カバー（９０１）の真下の位置が、トナーＣＲＧを交換可能な交換可能位置（１００１）である。ユーザ（１０１，１０３）は交換可能位置にあるトナーＣＲＧを交換することができる。図１０に示す例では、トナーＣＲＧ（９３０Ｂｋ）が交換可能である。なお、トナーＣＲＧの交換可能位置（９９９）は図１０に示す位置に限るものではなく、プリンタ（１０６）の構造に応じて異なっていてもよい。
【００２３】
各々のトナーＣＲＧは、軸Ｐを中心に回転する現象器ユニット（９２６）に装着されている。コントローラユニット（３１２）から交換可能位置移動指示を受けると、プリンタ（１０６）は、現象器ユニット（９２６）を回転し、指定されたトナーＣＲＧを交換可能位置に移動する。プリンタ（１０６）は、モノクロ印刷、カラー印刷を問わず、トナーＣＲＧの待機位置がブラックのトナーＣＲＧ（９３０Ｂｋ）が交換可能位置にある待機位置（以下、特定待機位置と記述）である場合に、最速に印刷を開始できるものとする。また、プリンタ（１０６）は、トナーＣＲＧ（９３０Ｃ、９３０Ｍ、９３０Ｙ）のいずれかにおいてトナー無しが発生していたとしても、トナーＣＲＧ（９３０Ｂｋ）のトナー残量があれば、モノクロ印刷を行うことができる。
【００２４】
図２は、図１におけるホストＰＣ（１０２、１０４）のハードウェア構成を示す図である。ホストＰＣ（１０２、１０４）はＲＯＭ（２０３）あるいは、ＨＤＤ（２１２）に記憶されたソフトウェアを実行するＣＰＵ（２０１）を備え、ＣＰＵ（２０１）はホストＰＣ（１０２、１０４）全体を制御する。ＲＡＭ（２０２）はＣＰＵ（２０１）の主メモリ、ワークエリア等として機能する。キーボートＩ/Ｆ（２０５）は、キーボード（２１０）からのキー入力を制御する。ディスプレイＩ/Ｆ（２０６）は、ディスプレイ（２１１）を制御する。ディスクコントローラ（２０７）は、ＨＤＤ（２１２）へのアクセスを制御する。ネットワークインタフェースカード（ＮＩＣ）（２０８）は、ＬＡＮ等のネットワーク（１０３）を介して他の機器と双方向に通信を行う。
【００２５】
ＵＳＢ Ｉ／Ｆ（２０９）は、ＵＳＢデバイスとの接続を可能とする。以上のデバイスがシステムバス（２０４）上に配置される。
【００２６】
図３は、図１におけるプリンタ（１０６）のハードウェア構成を示す図である。ＲＡＭ（３０２）は、ＣＰＵ（３０１）が動作するためのシステムワークメモリであり、画像データを一時的に保存するためのメモリである。ＲＯＭ（３０３）は、プリンタ（１０６）を制御するプログラムやクライアント上で利用される情報等を記憶している。ＣＰＵ（３０１）は入力部（３０５）を介してホストＰＣ（１０２、１０４）との通信が可能であり、プリンタ内の情報等をホストＰＣ（１０２、１０４）に通知できる。印刷画像データは印刷部Ｉ／Ｆ（３０６）を介して、印刷部（３０８）に出力される。
【００２７】
操作部（３０７）は、操作パネルで操作するためのスイッチやＬＥＤ表示器等が配されている。ＮＶＭＥＭ（３０９）は不揮発性のメモリであり、パスワード等の設定情報を記録する。ＬＡＮ Ｉ／Ｆ（３１０）は、ホストＰＣ（１０２、１０４）とのＬＡＮ接続を可能とする。ＵＳＢ接続（３１１）は、ホストＰＣ（１０２、１０４）とのＵＳＢ接続を可能とする。コントローラユニット（３１２）は、印刷部（３０８）に指示して、画像データの印刷処理を実行させる。
【００２８】
コントローラユニット（３１２）は、ＣＰＵ（３０１）、ＲＡＭ（３０２）、ＲＯＭ（３０３）、入力部（３０５）、印刷部Ｉ／Ｆ（３０６）、操作部（３０７）、ＮＶＭＥＭ（３０９）、ＬＡＮ Ｉ／Ｆ（３１０）、ＵＳＢ接続Ｉ／Ｆ（３１１）を備える。以上のデバイスがシステムバス（３０４）上に配置される。
【００２９】
図４は、ホストＰＣ上で動作するステータスウィンドウの構成を示す図である。ステータスウィンドウ（４０１）は、ホストＰＣ（１０２、１０４）上で動作するアプリケーションである。ステータスウィンドウ（４０１）はホストＰＣ（１０２、１０４）に接続されたディスプレイ（２１１）に表示される。ユーザ（１０１，１０３）は、ステータスウィンドウ（４０１）上で操作することでプリンタ（１０６）の状態を表示したり操作命令を出すことができる。
【００３０】
ステータスウィンドウ（４０１）は、ユーザ（１０１，１０３）からの命令を送受信することで、プリンタ（１０６）に対して操作命令を出したり、プリンタ（１０６）の状態を表示したりする。ステータス表示部（４０３）では、現在のプリンタ（１０６）の状態を表示する。印刷ジョブ情報（４０４）は、プリンタ（１０６）が現在処理している印刷ジョブを表示する。なお、オプションボタン（４０２）を押下することで、トナーＣＲＧ交換画面（５０１）を開くと同時に、プリンタ（１０６）はトナーＣＲＧ交換モードへ移行する。トナーＣＲＧ交換画面（５０１）については図５で後述する。
【００３１】
プリンタ（１０６）がトナーＣＲＧ交換モード中の場合、プリンタ（１０６）は印刷ジョブを受け付けない。
【００３２】
図５は、ステータスウィンドウ（４０１）上から開くことができるトナーＣＲＧ交換画面（５０１）である。オプションボタン（４０２）を押下することで、トナーＣＲＧ交換画面（５０１）が開くと同時に、プリンタ（１０６）はトナーＣＲＧ交換モードへ移行する。ユーザ（１０１，１０３）は、トナーＣＲＧ交換画面（５０１）を開いた後、画面上で操作を行うことで、トナーＣＲＧ交換を行うことができる。トナーＣＲＧ位置表示画面（５０２）は、トナーＣＲＧ回転によって、現在どのトナーＣＲＧが交換位置にあるか表示する。操作説明画面（５０３）は、トナーＣＲＧ交換の手順について表示する。
【００３３】
トナー残量表示画面（５０４）では、各色のトナー残量を確認できる。また、各色のボタン（５０５）を押すことで、その色のトナーＣＲＧを交換位置まで回転する処理が行われ、トナーＣＲＧ交換が可能となる。トナーＣＲＧ交換が終了したら、画面上の交換終了ボタン（５０６）を押下することで、プリンタ（１０６）は交換モードから通常モードへ移行する。なお、トナーＣＲＧ交換モードを終了できるのは、トナーＣＲＧ交換画面（５０１）を開いたホストＰＣ（１０２、１０４）からのみ可能である。
【００３４】
図６は、プリンタ（１０６）が中間モードへ移行する場合の処理を示す図である。ユーザ（１０１）がステータスウィンドウ（４０１）でオプションボタン（４０２）を押下すると、プリンタ（１０６）はトナーＣＲＧ交換モードへ移行する（Ｓ６０１）。トナーＣＲＧ交換モード移行後、プリンタ（１０６）はトナーＣＲＧ交換を行なったホストＰＣ（１０２）の情報をＲＡＭ（３０２）に記憶する（Ｓ６０２）。情報の一例として、ホストＰＣ名やＩＰアドレスが挙げられる。この情報はプリンタ（１０６）が中間モードの際にステータスウィンドウ（４０１）上の表示を切り替えるために用いる。ステータスウィンドウ（４０１）の表示の切り替えについては図８で後述する。
【００３５】
トナーＣＲＧ交換モード中にユーザ（１０１）がトナーＣＲＧ交換を終えたとき、交換終了ボタン（５０６）を押すことで（Ｓ６０３）、通常モードへ移行する（Ｓ６０６）。一定時間以上トナーＣＲＧ交換モードが終了されなかった場合（Ｓ６０４）、自動的に中間モードへ移行する（Ｓ６０５）。中間モードの動作の詳細については、図７で説明する。中間モード中は、トナーＣＲＧ交換を選択したユーザは（１０１）トナーＣＲＧ交換が可能であり、他のユーザ（１０３）は印刷が可能である。中間モード中にユーザ（１０１）がトナーＣＲＧ交換を終え、交換終了ボタン（５０６）を押した場合、通常モードへ移行する（Ｓ６０６）。
【００３６】
図７は、プリンタが中間モードの場合における処理の一例を示す図である。プリンタ（１０６）が中間モードへ移行した場合（Ｓ７０１）、トナーＣＲＧ交換と印刷要求のどちらも実行可能であるため、これら２つの要求を検知する必要がある。トナーＣＲＧ交換動作が行われると（Ｓ７０２）、プリンタ（１０６）はトナーＣＲＧ交換モードへ移行する（Ｓ７０６）。トナーＣＲＧ交換動作とは、ユーザがトナーＣＲＧを交換する際にプリンタのカバーを開閉する動作や、トナーＣＲＧ交換画面（５０１）で交換したい色を選択し、トナーＣＲＧを交換位置に回転させる動作を指す。
【００３７】
前記Ｓ７０２でトナーＣＲＧ交換動作が行われず、印刷処理要求を受信した場合（Ｓ７０３）、プリンタ（１０６）は通常モードへ移行する（Ｓ７０４）。通常モードへ移行後、印刷を開始する（Ｓ７０５）。トナーＣＲＧ交換モード移行後（Ｓ７０６）、ユーザがトナーＣＲＧ交換を行い、トナーＣＲＧ交換終了を指定した場合や、通常モードへ移行後、印刷処理（Ｓ７０５）が終了した場合は中間モードへは移行せず、通常モードへ移行する。
【００３８】
図８は、プリンタのモードの違いによるステータスウィンドウの表示処理を示す図である。まず、プリンタが中間モードであるか判定する（Ｓ８０１）。中間モードである場合、プリンタが記憶しているユーザ情報と、ステータスウィンドウが起動しているホストＰＣのユーザ情報を比較する（Ｓ８０２）。ユーザ情報が一致した場合、トナーＣＲＧ交換をしようとしているユーザであるため、ステータスウィンドウ（４０１）上にトナーＣＲＧ交換中であることを表示する（Ｓ８０３）。
【００３９】
ユーザ情報が一致しなかった場合、ステータスウィンドウ（４０１）上に印刷待機中等の通常モード表示を行う（Ｓ８０４）。中間モードでない場合は、プリンタがトナーＣＲＧ交換モードであるか判定する（Ｓ８０５）。トナーＣＲＧ交換モードであれば、トナーＣＲＧ交換中の表示をする（Ｓ８０６）。トナーＣＲＧ交換中でなければ、通常モード表示を行う（Ｓ８０７）。
【００４０】
［実施例２］
前述した実施例ではユーザがトナーＣＲＧ交換を忘れた場合について記述した。別の実施例としてＮ／Ｗが切断した場合について説明する。具体的には、ユーザがトナーＣＲＧ交換を指定するホストＰＣ（１０２）とプリンタ（１０６）間のＮ／Ｗ（１０５）について、ユーザがトナーＣＲＧ交換を指定した後、Ｎ／Ｗ（１０５）が切断した場合について説明する。Ｎ／Ｗ（１０５）が切断しているため、トナーＣＲＧ交換をしたいユーザ（１０１）はトナーＣＲＧ交換終了をホストＰＣ（１０２）上で実行できなくなる。そのため、プリンタ（１０６）はトナーＣＲＧ交換モードのままとなり、他のユーザ（１０３）は印刷を行うことができない。この場合も実施例1で記述した手法を用いて、一定時間以上経過したときにプリンタ（１０６）を中間モードへ移行させることで他のユーザ（１０３）は印刷を行うことができる。
【符号の説明】
【００４１】
１０１：ユーザＡ
１０２：ホストＰＣ
１０３：ユーザＢ
１０４：ホストＰＣ
１０５：Ｎ／Ｗ
１０６：プリンタ
【図４】
2015146061.tif 000003
【図５】
2015146061.tif 000004
【図１】
2015146061.tif 000005
【図２】
2015146061.tif 000006
【図３】
2015146061.tif 000007
【図６】
2015146061.tif 000008
【図７】
2015146061.tif 000009
【図８】
2015146061.tif 000010
【図９】
2015146061.tif 000011
【図１０】
2015146061.tif 000012